(57)【要約】【課題】  十分なカールの癖付けを可能とする。【解決手段】  一対の挟持アーム７，９に設けられ相互に対向配置され、挟持動作で毛髪を処理するための処理体１１，１３を備えたヘアーアイロン１において、前記一方の処理体１１は、凸曲面で形成された突条状の第１の処理面７２を備え、前記他方の処理体１３は、前記第１の処理面７２との間で毛髪を局所的に狭持可能とする平面又は前記第１の処理面７２よりも小さい曲率の凹曲面からなる第２の処理面７８を備えたことを特徴とする。【選択図】      図８
2006129981.tif 000002
【特許請求の範囲】
【請求項１】
一対の挟持アームに設けられて相互に対向配置され挟持動作で毛髪を処理する
ための処理部を備えたヘアーアイロンにおいて、
前記処理部の一方に、凸曲面で形成された突条状の第１の処理面を設け、
前記処理体の他方に、前記第１の処理面との間で前記毛髪を局所的に狭持可能
とする平面又は前記第１の処理面よりも小さい曲率の凹曲面からなる第２の処理
面を備えた
ことを特徴とするヘアーアイロン。
【請求項２】
請求項１記載のヘアーアイロンであって、
前記各処理部は、前記第１及び第２の処理面の間で温度差が生じるように温度
制御が行われる
ことを特徴とするヘアーアイロン。
【請求項３】
請求項２記載のヘアーアイロンであって、
前記温度制御は、１２０℃〜１８０℃の温度差の範囲で行われる
ことを特徴とするヘアーアイロン。
【請求項４】
請求項３記載のヘアーアイロンであって、
前記温度制御は、第１の処理面のみを、１２０℃〜１８０℃の範囲で行う
ことを特徴とするヘアーアイロン。
【発明の詳細な説明】
【技術分野】
【０００１】
本発明は、毛髪にカールの癖付けを行うため等に供するヘアーアイロンに関す
る。
【背景技術】
【０００２】
従来のヘアーアイロンとしては、例えば図１１に示すようなものがある。図１
１（ａ）はヘアーアイロンの全体構成図、図１１（ｂ）は図１１（ａ）ＳＢ−Ｓ
Ｂ矢視断面図である。
【０００３】
この図１１のように、従来のヘアーアイロン２０１は、アイロン本体２０３に
電源コード２０５が接続され、端部に電源プラグが取り付けられたものである。
【０００４】
前記アイロン本体２０３は、一対の挟持アーム２０７，２０９を備えている。
この挟持アーム２０７，２０９は基端側２１１，２１３が相互に回転自在に結合
され、先端側に処理体２１５，２１７が対向配置されている。
【０００５】
前記一方の処理体２１５は、内部にヒータ２１９を有する棒状に形成され、そ
の外周面からなる処理面２２１を有している。前記他方の処理体２１７は、内部
にヒータ２２３を有し、前記処理面２２１に対応して形成された凹状の処理面２
２５を有している。処理面２２５は、処理面２２１に対し全体的に対向し接触す
るようになっている。
【０００６】
このヘアーアイロン２０１でカールの癖付けを行う際は、電源プラグをコンセ
ントに差し込み、ヒータ２１９，２２３によって処理体２１５，２１７を発熱さ
せる。そして、処理体２１５，２２７の挟持動作により毛髪を処理面２２１，２
２５間に挟みつつ、処理体２１５，２２７の発熱による加温作用を加えることに
より、挟み込んだ毛髪に対し全体的に処理面２２１，２２５に沿ったカールの癖
付けを行うことができる。
【０００７】
しかしながら、上記のような従来のヘアーアイロン２０１では、一対の面の広
い範囲で毛髪を狭持する構成であるため、カールの癖付けが弱いものとなってい
た。
【０００８】
【特許文献１】実開平１−９２９０２号
【発明の開示】
【発明が解決しようとする課題】
【０００９】
本発明が解決しようとする課題は、十分なカールの癖付けを行うことができな
い点にある。
【課題を解決するための手段】
【００１０】
本発明は、一対の挟持アームに設けられて相互に対向配置され挟持動作で毛髪
を処理するための処理部を備えたヘアーアイロンにおいて、前記処理部の一方に
、凸曲面で形成された突条状の第１の処理面を設け、前記処理体の他方に、前記
第１の処理面との間で前記毛髪を局所的に狭持可能とする平面又は前記第１の処
理面よりも小さい曲率の凹曲面からなる第２の処理面を備えたことを最も主な特
徴とする。
【発明の効果】
【００１１】
本発明によれば、一対の挟持アームの挟持動作によって挟持アームに対向配置
された処理部により毛髪を処理し、カールの癖付けを行うことができる。
【００１２】
そして、前記処理部は、一方が凸曲面で形成された突条状の第１の処理面を備
え、前記他方が第１の処理面との間で毛髪を局所的に狭持可能とする平面又は前
記第１の処理面よりも小さい曲率の凹曲面からなる第２の処理面を備えているた
め、第１の処理面の先端と第２の処理面とで毛髪を局所的に狭持して、十分なカ
ールの癖付けを行わせることができる。
【００１３】
しかも、第２の処理面が平面又は第１の処理面よりも小さい曲率の凹曲面から
なるため、狭持動作時に狭持アームのがた等により第１、第２の処理面間にずれ
が生じた場合でも、該ずれを吸収して第１、第２の処理面間で毛髪を確実に狭持
することができ、確実なカールの癖付けを行うことができる。
【００１４】
前記各処理部が前記第１及び第２の処理面の間で温度差が生じるように温度制
御が行われる場合は、毛髪に対し内外の温度差によって加温を行うことで十分な
カールの癖付けを行わせることができる。
【００１５】
前記温度制御が１２０℃〜１８０℃の温度差の範囲で行われる場合は、内外の
温度差がカールに適したものとなり、より確実にカールの癖付けを行わせること
ができる。
【００１６】
前記温度制御が、第１の処理面のみを、１２０℃〜１８０℃の範囲で行う場合
は、内外の加熱温度及び温度差がカールに適したものとなり、より確実にカール
の癖付けを行わせることができる。
【発明を実施するための最良の形態】
【００１７】
十分なカールの癖付けを行うという目的を、局所的に毛髪を狭持処理するヘア
ーアイロンによって実現した。
【実施例１】
【００１８】
図１〜図７は本発明の実施例１に係るヘアーアイロンを示し、図１は一部を省
略した全体斜視図、図２は温度制御装置の平面図、図３は分割部分を外した状態
で一方の分割部分の一部を断面にした平面図、図４は同他方の平面図、図５は側
面図、図６は平面図、図７は挟持アームを開いた状態の底面図である。これら図
１〜図７のように、ヘアーアイロン１は、電源コード３が接続されたアイロン本
体５を備えている。電源コード３には、温度制御装置４、電源プラグ等が備えら
れている。温度制御装置４は、ハウジング６にオンオフ用のスイッチ８及び温度
調整用のレバー１０が備えられている。温度制御装置４は、スイッチ８の操作に
よって後述するセラミックヒータ６９のオンオフ制御が可能に、及びレバー１０
の操作によって６０℃〜１８０℃の範囲でセラミックヒータ６９の温度制御が可
能になっている。
【００１９】
前記アイロン本体５は、一対の挟持アーム７，９と、一対の処理部としての処
理体１１，１３を備えている。前記挟持アーム７，９は、例えば線膨張係数8.8×
１０-5ｃｍ／ｃｍ／℃のシーポリエステル系エンジニアリングプラスチック等の
樹脂製であり、基端側１５，１７が回転軸１９によって相互に回転自在に結合さ
れている。
【００２０】
前記狭持アーム７の基端側１５には、電源コード３を引き出すための引出部２
０が一体的に設けられている。引出部２０は、筒状に形成されており前記基端側
１５から狭持アーム７の長手方向に対し傾斜するように延設されている。引出部
２０の先端内周面には、係合凸部２２が周回状に設けられている。係合凸部２２
には、筒状のグロメット２４に周回状に設けられた係合凹部２６が係合している
。これによって、グロメット２４が引出部２０に保持されている。そして、電源
コード３は、狭持アーム７から湾曲して引出部２０内へ至り、引出部２０内から
はグロメット２４を挿通して直状に引き出されている。
【００２１】
このように、引出部２０を介して電源コード３を引き出すことにより電源コー
ド３の湾曲部２８を保護することができる。例えばヘアーアイロンの狭持アーム
７．９の回動時や取り回し時等に、前記湾曲部２８に負荷がかかることを防止し
、湾曲部２８に繰り返し負荷がかかることによる電源コード３の断線を防止する
ことができる。
【００２２】
また、前記引出部２０にグロメット２４を保持するようにしたため、グロメッ
ト２４を保持するための保持部としての引出部２０側の係合突部２２及びグロメ
ット２４側の係合凹部２６を大きく取ることができる。従って、グロメット２４
を確実に保持し、電源コード３を確実に保護することができる。
【００２３】
前記各挟持アーム７，９の中間部には、把持部２１，２３が設けられている。
この把持部２１，２３は把持しやすいように図３〜図７のように比較的太く形成
され、基端側１５，１７とほぼ同一の太さとなっている。
【００２４】
前記把持部２１，２３には、その先端側に傾斜面で形成された力点部２５，２
７が設けられている。この力点部２５，２７は、把持部２１，２３を把持したと
き親指や人差し指を当てて力を加えるようにするものである。前記力点部２５，
２７は、図５の側面から見ると前記把持部２１，２３全体よりも若干肥大して形
成され、親指や人差し指を当てやすいようになっている。前記力点部２５，２７
から先端側２９，３１にかけて耐熱用のシート１２が接着されている。
【００２５】
前記挟持アーム７，９の先端側２９，３１は、図３，図４，図７のように、把
持部２１，２３よりも相互の合わせ方向へ細く形成されている。また前記先端側
２９，３１は、図５のように前記合わせ方向に交差する方向へも把持部２１，２
３よりも細く形成され、把持部２１，２３に対し一側へ位置ずれして設定されて
いる。従って、先端側２９，３１の一面３３は、把持部２１，２３の一面３５よ
りも一側へ突出し、両面３３，３５は傾斜面３７で段差的に連続設定されている
。前記先端側２９，３１の他面３９は、前記一面３３に合わせて一側へずれて形
成され、前記把持部２１，２３の中央側へ入り込むように配置されている。
【００２６】
かかる挟持アーム７，９は、中空状に形成されており、分割線４１によりそれ
ぞれ分割部分４３ａ，４５ａ、分割部分４３ｂ，４５ｂの合わせ構造となってい
る。これら分割部分４３ａ，４５ａ、分割部分４３ｂ，４５ｂは、先端側２９，
３１、把持部２１，２３、基端側１５，１７、引出部２０において締結具である
例えばビス４８，４９，５１，５２によって相互に締結結合されている。前記分
割部分４３ｂには、先端側２９，３１において締結用の孔４７が貫通形成されて
いる。
【００２７】
前記中空の把持部２１，２３内には、複数の補強リブ５３が設けられている。
前記一方の挟持アーム７には、両アーム７，９の対向側に凸部５５が設けられ、
他方の挟持アーム９には前記凸部５５が嵌合する凹部５７が設けられている。前
記凸部５５は、前記凹部５７への嵌合によって狭持アーム７，９の狭持動作を案
内するようになっていると共に、凹部５７の底面に突き当たってストッパの機能
を奏するようになっている。
【００２８】
こうして、前記挟持アーム７は、基端側１５，１７が相互に回転自在に結合さ
れ、中間部の把持部２１，２３の操作で先端側２９，３１が挟持動作を行う構成
となっている。
【００２９】
前記挟持アーム７，９の先端側２９，３１は、図３，図８，図９のようになっ
ている。図８は狭持アーム７，９の先端側２９，３１の正面図、図９は図５のＳ
Ａ−ＳＡ矢視の拡大断面である。
【００３０】
前記先端側２９は、図９のように内部に芯材８３を収容する平坦な縦壁面５９
，６１及び平坦な底壁面６３を備えている。先端側２９には、前記処理体１１を
他方側に対し進退自在となるように可動支持する処理体支持穴６５が設けられて
いる。
【００３１】
前記処理体１１は、熱板６７と、セラミックヒータ６９と、マグネットプレー
ト７１と、第１ばね７３と、第２ばね７５とからなっている。
【００３２】
前記熱板６７は、アルミ等の軽量で熱伝導率の高い材料により対向側から見て
矩形板状に形成され、表面がフッ素コーティングされている。熱板６７の表面中
間部には、第１の処理面７２が設けられている。すなわち、熱板６７の表面中間
部には、前記他方側である処理体１３側に膨出形成された膨出部７０が一体的に
設けられている。この膨出部７０は、断面がほぼ半円形状となっており、熱板６
７の長手方向に沿って突条に形成されている。このため、膨出部７０の表面は、
ほぼ半円状で且つ凸状の凸曲面となっている。この膨出部７０の表面によって、
前記第１の処理面７２は構成されている。前記熱板６７の背後には、収容部７７
が一体に設けられている。前記熱板６７は、収容部７７によって前記処理体支持
穴６５に対し可動支持され、他方側である処理体１３に対し進退自在となってい
る。
【００３３】
前記収容部７７の上下壁には、係合片部７９，８１が設けられ、前記熱板６７
の一定以上の突出移動を規制するようになっている。前記セラミックヒータ６９
、マグネットプレート７１、第１ばね７３は、前記収容部７７内に収容されてい
る。
【００３４】
前記セラミックヒータ６９は、矩形板状を呈し、最高温度約１８０°まで発熱
し、前記熱板６７に熱伝導を行うもので、図３のように前記電源コード３側に電
気的に接続されている。本実施例においては、前記セラミックヒータ６９の温度
を前記温度制御装置４の操作によって１２０℃〜１８０℃の範囲で制御するよう
になっている。
【００３５】
前記マグネットプレート７１は、１５０００ガウスのネオジウム磁石等により
矩形板状に形成され、処理体１３側との間でＳ極又はＮ極同士が対峙するように
配置されている。本実施例のマグネットプレート７１は、前記処理体１１，１３
間でＳ極同士が対峙するようになっている。
【００３６】
前記第１ばね７３は、板ばねで形成され、前記マグネットプレート７１を収容
部７７内で熱板６７背面方向に付勢しセラミックヒータ６９を熱板６７の背面に
密着させると共に、マグネットプレート７１を安定支持している。
【００３７】
前記第２ばね７５は、前記収容部７７の後側で前記縦壁面５９側に支持されて
いる。この第２ばね７５は、前記処理体１１を付勢して他方側の処理体１３との
挟持状態を弾性的に調節する付勢手段を構成している。前記第２ばね７５は、板
ばねで形成され、両端部７５ａ，７５ｂが傾斜設定され、端縁が前記分割部分４
３ａ側の突起部に図３左右方向（長手方向）で係合している。
【００３８】
一方、前記先端側３１は、前記先端側２９と同様に内部に芯材８５を収容する
平坦な縦壁面５９，６１及び平坦な底壁面６３を備えている。また先端側３１に
は、前記処理体１３を一方側に対し可動支持する処理体支持穴６５が設けられて
いる。この処理体支持穴６５に、前記処理体１３が可動支持されている。
【００３９】
従って、前記処理体１１，１３は、前記挟持アーム７，９の先端側２９，３１
に対向配置され、前記挟持アーム７，９の挟持動作で毛髪を加温しながら挟持矯
正する構成となっている。
【００４０】
前記処理体１３は、処理体１１と同様に、マグネットプレート７１と、第１ば
ね７３と、第２ばね７５とを備え、熱板６７に代えて熱板６８が設けられると共
に、セラミックヒータ６９に代えて電熱板７４が設けられている。
【００４１】
前記熱板６８は、アルミ等の軽量で熱伝導率の高い材料により対向側から見て
矩形板状に形成され、表面がフッ素コーティングされている。熱板６８の表面は
、前記第１の処理面７２と対向して毛髪を狭持可能とする第２の処理面７８を構
成している。第２の処理面７８は、平面からなり、狭持アーム７，９の狭持方向
に対しほぼ直交している。前記第２の処理面７８は、その中間部が第１の処理面
７２と一点で局所的に密接し毛髪を狭持するようになっている。ただし、第２の
処理面７８は、狭持方向に対し傾斜して形成してもよい。
【００４２】
前記熱板６８の背後には、電熱板７４、マグネットプレート７１、第１ばね７
３を収容する収容部８４が一体に設けられ、その収容部８４の上下壁に係合片部
７９，８１が設けられている。収容部８４の後側には、上記同様前記処理体１３
を付勢して処理体１１との挟持状態を弾性的に調節する付勢手段を構成する第２
ばね７５が配置されている。
【００４３】
前記電熱板７４は、耐熱性を有し矩形板状を呈している。本実施例では、例え
ば、軟質又は硬質マイカを高耐熱シリコン樹脂で一体化したマイカ板によって形
成されている。前記電熱板７４は、マグネットプレート７１と熱板６８との間に
介在し、第１ばね７３の付勢によって熱板６８に密着すると共にマグネットプレ
ート７１を安定支持している。
【００４４】
次に、前記ヘアーアイロン１を用いてカールの癖付けを行う場合について説明
する。
【００４５】
まず、前記ヘアーアイロン１の使用時には、毛髪に第一剤、すなわちチオグリ
コール酸やシステイン等のメルカプト化合物（還元剤）を主剤とする水溶液にア
ンモニア、モノエタノールアミン、トリエタノールアミン等の塩基性物質を加え
てｐＨ６〜１０に調整した液剤を塗布する。この塗布により、毛髪中のケラチン
蛋白質に含まれているシスチンのジスルフィド結合が還元されてメルカプト基と
して切断される。その後、毛髪を水洗し、順次ドライヤ等で乾燥させた後、加熱
したヘアーアイロン１の処理により毛髪に対しカールの癖付けを行う。
【００４６】
具体的には、温度制御装置４の制御によってセラミックヒータ６９の温度制御
を行い、セラミックヒータ６９を１２０℃〜１８０℃に加熱制御する。そして、
挟持アーム７，９の把持部２１，２３を把持し、力点部２５，２７に親指と人差
し指を当てるなどして力を加え、処理体１１，１３の熱板６７，６８間で毛髪を
挟み込む。これにより、毛髪が熱板６７の第１の処理面７２と熱板６８の第２の
処理面７８との間で狭持され、第１の処理面７２の１２０℃〜１８０℃の加温に
よって毛髪の内側にのみ急激な熱ストレスが与えられる。
【００４７】
このとき、マグネットプレート７１がＳ極同士を対峙させて設定されているた
め、前記狭持アーム７，９の狭持動作により両処理体１１，１３が近づくと、マ
グネットプレート７１が反発し合い、同時に第２ばね７５が反発に応じて撓むこ
とによりマグネットプレート７１は互いに平行となる。これにより、処理体１１
，１３も姿勢が修正され、矯正面７２，７８が平行となる。従って、狭持動作の
さらなる進行により処理体１１，１３の処理面７２，７８が密接するときには、
密接当初から平行状態で接触させることができる。
【００４８】
前記狭持加温に際しては、前記第１の処理面７２が凸曲面からなり前記第２の
処理面７８が平面からなるため、第１の処理面７２の先端と第２の処理面７８と
の対向部分の一点でのみ毛髪を局所的に狭持することになる。従って、毛髪に対
し局所的に急激な熱ストレスを与えることができる。
【００４９】
その後、その状態を維持して挟持アーム７，９を毛先へと滑らせながら、ヘア
ーアイロン１を狭持アーム７を内側にして徐々に回転させる。これによって、毛
髪に対し局所的な熱ストレスを連続的に与えながら人工的なカールの癖付けを確
実に行うことができる。なお、癖毛を伸ばしたり人工的なカールを直す場合は、
ヘアーアイロン１の回転を行わずに、狭持アーム７，９を毛先へと滑らせる。
【００５０】
前記狭持アーム７，９を滑らせる際には、狭持アーム７，９間の狭持力を若干
緩め第２ばね７５が完全に撓まないようにしておく。これにより、毛髪に太い毛
束や細い毛束がある場合でも、第２ばね７５が撓むことによって第１、第２の狭
持面７２，７８を前記太い毛束や細い毛束に追従させることができ、第１、第２
の狭持面７２，７８によって確実に毛髪を狭持しながら狭持アーム７，９を円滑
に滑らせることができる。
【００５１】
しかも、第１の処理面７２と第２の処理面７８とが一点で線状に局所的に毛髪
を狭持するため、狭持アーム７，９を毛髪に対し容易に且つ円滑に滑らせること
ができ、カールの癖付け作業を容易に行うことができる。
【００５２】
さらには、前記狭持アーム７，９を滑らせることによって、毛髪に対し張力を
与えることができ、毛髪を第２の処理面７８に確実に押し付けて、カールの癖付
けを確実に行うことができる。
【００５３】
また、前記第２の処理面７８が平面からなるため、前記滑らせ時に狭持アーム
７，９のがた及び毛髪と第１、第２の処理面７２，７８との間の摩擦抵抗等によ
って第１、第２の処理面７２，７８間にずれが生じても、該ずれを吸収して第１
、第２の処理面７２，７８間で毛髪を確実に狭持することができ、確実にカール
の癖付けを行うことができる。
【００５４】
前記第２の処理面７８は、狭持方向とほぼ直角な平面であるため、前記のよう
に第１の処理面７２との間にずれが生じた場合でも、狭持アーム７，９の狭持力
を第１の処理面７２との狭持力として確実に毛髪に加えることができ、確実にカ
ールの癖付けを行うことができる。
【００５５】
一方、毛髪はＳ極を対峙させたマグネットプレート７１間を所定の速度で移動
するため、フレミングの右手の法則により還元エネルギが発生する。このエネル
ギは磁極の電子が右回転するマグネットプレート７１のＳ極から発生し、第一液
の還元作用を促進させることになる。しかも、毛髪の表層部を形成するキューテ
ィクルを閉じる働きもする。キューティクルが閉じると、紫外線が毛髪の内部に
入り込もうとするのを遮断し、毛髪が紫外線により損傷するのを防ぐことができ
る。
【００５６】
また、この還元のエネルギにより、第一液の水のクラスタが小さくなる。この
クラスタが小さくなることで、第一液の毛髪への浸透性が高まる。よって、さら
に第一液の還元作用が促進される。その結果、毛髪が損傷する恐れを伴う施術時
間を短くすることができ、毛髪の傷みも抑制することができる。
【００５７】
なお、その後頭髪に臭素酸ナトリウム、過酸化水素等の酸化剤の水溶液からな
る第二液を塗布し、この結果、メルカプト基を酸化して毛髪に新たなジスルフィ
ド結合を生成させ、このカール状態を固定化することができる。
【００５８】
以上説明したように、従来のように全体的に対向接触する一対の処理面間の広
い範囲で毛髪を狭持してカールの癖付けを行う場合、局所的な又は微少な範囲で
のカールの癖付け力が弱くなり、結果としてカールの癖付けを十分に行うことが
できなかったが、本実施例のヘアーアイロン１によれば、局所的に接触する第１
、第２の処理面７２，７８によって、毛髪を局所的に狭持加温しカールの癖付け
を確実に行わせることができる。
【００５９】
本実施例では、第１の処理面７２と第２の処理面７８とが一点で線状に局所的
に毛髪を狭持するため、狭持アーム７，９を毛髪に対し容易に滑らすことができ
、カールの癖付け作業を容易に且つ確実に行わせることができる。
【００６０】
さらには、狭持アーム７，９を滑らせることによって、毛髪に張力を与えて第
１の処理面７２に対し毛髪を確実に押し付けることができ、カールの癖付けをよ
り確実に行わせることができる。
【００６１】
しかも、本実施例では、第２の処理面７８が平面からなるため、狭持アーム７
，９を毛髪に対し滑らせる際に、第１、第２の処理面７２，７８間にずれが生じ
ても、該ずれを吸収して第１、第２の処理面７２，７８間で毛髪を確実に狭持す
ることができ、確実なカールの癖付けを行うことができる。
【００６２】
本実施例では、前記加温時には処理体１１，１３間で温度差が生じるように前
記セラミックヒータ６９を温度制御するため、内外の温度差によって毛髪に対し
て十分なカールの癖付けを行わせることができる。
【００６３】
本実施例では、前記温度差が１２０℃〜１８０℃の範囲で制御されているため
、前記内外の温度差がカールに適したものとなり、より確実にカールの癖付けを
行わせることができる。
【００６４】
本実施例では、前記第１の処理面７２を１２０℃〜１８０℃の範囲で制御し、
前記第２の処理面７８を常温としているため、内外の加熱温度及び温度差がより
カールに適したものとなり、より確実にカールの癖付けを行わせることができる
。
【００６５】
なお、第２の処理面は、図１０のように変形することも可能である。図１０は
、ヘアーアイロンの先端側を示す正面図である。図１０のように、ヘアーアイロ
ン１Ａは、上記実施例１の第２の処理面７８に代えて、第２の処理面７８Ａを備
えている。前記第２の処理面７８Ａは、第１の処理面７２よりも小さい曲率を有
する凹状の凹曲面によって形成されたものである。
【００６６】
ヘアーアイロン１Ａでは、上記実施例１と同様の作用効果を奏することができ
るのに加え、狭持アーム７，９を毛髪に対し滑らせる際に、第１、第２の処理面
７２，７８Ａ間にずれが生じても、第１の処理面７２を第２の処理面７８Ａの凹
形状によって中心側へ案内し前記ずれが修正される。従って、第１、第２の処理
面７２，７８Ａによる狭持状態を確実に維持し、より確実なカールの癖付けを行
うことができる。
【００６７】
なお、本発明は上記実施例に限定されるものではなく、各種の変更が可能であ
る。例えば、処理体１１，１３の一方又は双方を、先端側２９，３１に対し移動
できない固定式にすることも可能である。マグネットプレート７１、第１ばね７
３、電熱板８４等は省略することも可能である。
【図面の簡単な説明】
【００６８】
【図１】ヘアーアイロンの斜視図である（実施例１）。
【図２】ヘアーアイロンの温度制御装置を示す平面図である（実施例１）。
【図３】ヘアーアイロンの分割部分を外した状態であり、一方の分割部分の一部を断面にした平面図である（実施例１）。
【図４】ヘアーアイロンの分割部分を外した状態であり、他方の分割部分の平面図である（実施例１）。
【図５】ヘアーアイロンの側面図である（実施例１）。
【図６】ヘアーアイロンの平面図である（実施例１）。
【図７】ヘアーアイロンの挟持アームを開いた状態の底面図である（実施例１）。
【図８】ヘアーアイロンの先端側を示す正面図である（実施例１）。
【図９】図５のＳＡ−ＳＡ矢視拡大断面図である（実施例１）。
【図１０】ヘアーアイロンの先端側を示す正面図である（変形例）。
【図１１】（ａ）はヘアーアイロンの全体構成図、（ｂ）は他方の処理体を示す断面図である（従来例）。
【符号の説明】
【００６９】
１  ヘアーアイロン
７，９  挟持アーム
１１，１３  処理体（処理部）
１５，１７  基端側
２１，２３  把持部
２９，３１  先端側
６７，６８  熱板
７２  第１の処理面
７８，８０  第２の処理面
【図１】
2006129981.tif 000003
【図２】
2006129981.tif 000004
【図３】
2006129981.tif 000005
【図４】
2006129981.tif 000006
【図５】
2006129981.tif 000007
【図６】
2006129981.tif 000008
【図７】
2006129981.tif 000009
【図８】
2006129981.tif 000010
【図９】
2006129981.tif 000011
【図１０】
2006129981.tif 000012
【図１１】
2006129981.tif 000013